(57)【要約】【課題】ワークを一度通過させることで該ワークの中で異なる高さの複数の点に粘性を持った液体を付着させる。【解決手段】粘性を持った液体（例えば溶融はんだ）を噴射して異なる高さを持った複数の盛り上がり噴流を形成するための変高多段ノズル式液体噴流槽であって、粘性を持った液体を収容した槽２１と、槽２１に起立して配置され上端部に粘性を持った液体を噴射する噴射孔１１ｂが形成されると共に該噴射孔１１ｂの上面に粘性を持った液体の層を形成する液体貯留部１１ａが形成されたノズル部材１１と、粘性を持った液体をノズル部材１１に供給するポンプ１ａと、を有し、複数の前記ノズル部材１１を該ノズル部材１１に形成された噴射孔１１ｂの粘性を持った液体の液面からの高さを変化させて配置する。【選択図】        図１
2007167840.tif 000002
【特許請求の範囲】
【請求項１】
粘性を持った液体を噴射して異なる高さを持った複数の盛り上がり噴流を形成するための変高多段ノズル式液体噴流槽であって、粘性を持った液体を収容した槽と、前記槽に起立して配置され上端部に粘性を持った液体を噴射する噴射孔が形成されると共に該噴射孔の上面に粘性を持った液体の層を形成する液体貯留部が形成されたノズル部材と、粘性を持った液体を前記ノズル部材に供給するポンプと、を有し、複数の前記ノズル部材を該ノズル部材に形成された噴射孔の粘性を持った液体の液面からの高さを変化させて配置したことを特徴とする変高多段ノズル式液体噴流槽。
【請求項２】
１本のノズル部材が基板に高さを調整し得るように取り付けられていることを特徴とする請求項１に記載した変更多段ノズル式液体噴流槽。
【請求項３】
複数のノズル部材が基板に夫々高さを調整し得るように取り付けられていることを特徴とする請求項１に記載した変更多段ノズル式液体噴流槽。
【請求項４】
上面と側面が開口した箱状のブロック部材を有し、該ブロック部材の上面の開口部に対向させて請求項２又は３に記載した基板を取り付けると共に側面の開口部に対向させてポンプを配置したことを特徴とする請求項１に記載した変更多段ノズル式液体噴流槽。
【発明の詳細な説明】
【技術分野】
【０００１】
本発明は、液体噴流槽に関し、特に高さの異なる噴流を噴出することができる噴流ノズルを複数配置した変高多段ノズル式液体噴流槽に関するものである。
【背景技術】
【０００２】
槽に貯蔵した液体を該槽の液面レベルよりも高いレベルに盛り上がるように噴流させ、この噴流の盛り上がりを利用して行うような作業に、例えばはんだ付け作業がある。はんだ付け作業は、溶融して液体となったはんだをはんだ槽に貯留させておき、溶融したはんを鉛直方向に噴流させて液面レベルよりも高いレベルを持った噴流の盛り上がりを形成し、この盛り上がりの頂点を利用してはんだ付け作業を行うものである。
【０００３】
例えば、特許文献１に記載された技術は自動半田付け方法と、自動半田付け装置に関するものであり、槽本体に溶融半田を収容しておき、ワークに対する半田付け位置に対向した位置に、小径噴射孔とこの小径噴射孔の上方の溶融半田プールを備えた半田噴流ノズルを配置し、槽本体に設けた噴射プロペラを駆動することで溶融した半田を小径噴射孔から溶融半田プールに噴射することによって、略円錐形状の半田噴流を盛り上がり形成するものである。
【０００４】
この技術では、コンベアによるワークの移送方向に一列に複数の小径噴射孔を配列しておくことで、同じ盛り上がり高さを持った複数の半田噴流を形成することができ、夫々の半田噴流によってワークに対する予熱と半田付けを連続して行うことができる。
【０００５】
また特許文献２に記載された技術は噴流半田槽に関するものであり、上面が開口され溶融半田を貯蔵する溶融半田槽に溶融半田の液面下に位置するように半田噴流を盛り上がり形成するプレート状の半田噴流ノズルを配置し、且つ溶融半田槽に前記半田噴流に溶融半田を供給するポンプ手段を配置し、ポンプ手段を駆動することによって半田噴流ノズルに形成した噴射孔から溶融半田を噴射させて半田噴流を盛り上がり形成するものである。
【０００６】
この技術では、半田噴流ノズルに複数の噴射孔を形成しておき、ワークの半田付けすべき部位に対応させて形成された噴射孔を閉鎖し、或いは開口させて盛り上がり半田噴流を選択的に形成することが可能である。
【０００７】
特許文献１、２の技術は、何れも蛍光灯用安定器のコイル端子や、リード部品のリードのように、半田付けすべき部位が溶融半田の液面と略平行な平面内に配置されたものを対象としており、半田噴流の盛り上がりの頂点は同じレベルになるように構成されている。
【０００８】
【特許文献１】特許第３５９０８９４号
【特許文献２】特開２００２−２４８５６２号公報
【発明の開示】
【発明が解決しようとする課題】
【０００９】
上記した特許文献１、２では、半田噴流の頂点の高さは同一面になるように構成されているため、プリント基板のように複数のはんだ付け位置が同一面内にあるワークにはんだ付けする際には大きな効果を発揮することができる。しかし、はんだ付け位置が少しでも段差のあるような場合、はんだ付けを一度にはできないという問題がある。
【００１０】
上記の如く、同一ワークの中ではんだ付け位置の高さが異なるような場合、はんだ噴流の高さの異なる装置を並べておき、ワークをこれらの槽を順に通過させることが必要となり、能率が悪くなるという問題が生じる。
【００１１】
また上記ワークの場合、はんだ付けロボット等を利用することも可能であるが、はんだ付けロボットでは、消耗品としてはんだ付け用のチップが必要であり、またはんだ付け時間もかかるのでコスト高になっている。
【００１２】
本発明の目的は、ワークを一度通過させることで該ワークの中で異なる高さの複数の点に粘性を持った液体を付着させることを実現した変高多段ノズル式液体噴流槽を提供することにある。
【課題を解決するための手段】
【００１３】
上記課題を解決するために本発明に係る変高多段ノズル式液体噴流槽は、粘性を持った液体を噴射して異なる高さを持った複数の盛り上がり噴流を形成するための変高多段ノズル式液体噴流槽であって、粘性を持った液体を収容した槽と、前記槽に起立して配置され上端部に粘性を持った液体を噴射する噴射孔が形成されると共に該噴射孔の上面に粘性を持った液体の層を形成する液体貯留部が形成されたノズル部材と、粘性を持った液体を前記ノズル部材に供給するポンプと、を有し、複数の前記ノズル部材を該ノズル部材に形成された噴射孔の粘性を持った液体の液面からの高さを変化させて配置したものである。
【００１４】
上記変高多段ノズル式液体噴流槽に於いて、１本のノズル部材が基板に高さを調整し得るように取り付けられているか、又は複数のノズル部材が基板に夫々高さを調整し得るように取り付けられていることが好ましい。
【００１５】
また上記変更多段ノズル式液体噴流槽に於いて、上面と側面が開口した箱状のブロック部材を有し、該ブロック部材の上面の開口部に対向させて１本のノズル部材又は複数本のノズル部材を取り付けた基板を取り付けると共に側面の開口部に対向させてポンプを配置することが好ましい。
【発明の効果】
【００１６】
本発明に係る変更多段ノズル式液体噴流槽（以下単に「噴流槽」という）では、複数のノズル部材を液面からの高さを変化させて配置したので、ポンプを駆動することによって層に収容した粘性を持った液体を夫々のノズル部材に供給して該の部材の上端部に形成された噴射孔から噴射することができる。噴射孔からの粘性を持った液体の噴射に伴って、液体貯留部に貯留された粘性を持った液体が盛り上がりる液体噴流を形成することができる。
【００１７】
特に、ノズル部材を高さ調整可能に基板に取り付けた場合には、液体噴流が必要とする高さに対応させてノズル部材の高さを調整することで、所望の高さを持った液体噴流を形成することができる。
【００１８】
このため、１本のノズル部材を取り付けた基板を用いる場合、槽内に高さを調整したノズル部材を取り付けた複数の基板を配置しておくことで、一度に複数の位置から異なる高さを持った液体噴流を形成することができる。
【００１９】
また、複数本のノズル部材を取り付けた基板を用いる場合、槽内に夫々高さを調整した複数のノズル部材を取り付けた基板を配置しておくことで、一度に列状に異なる高さの液体噴流を形成することができる。
【００２０】
基板をブロック部材の上面に形成した開口部に取り付けると共に、側面に形成した開口部から粘性を持った液体を供給することで、槽内に複数のブロック部材を配置した場合であっても、各ブロック部材毎に粘性を持った液体を供給することが可能となり、夫々のブロック部材に取り付けたノズル部材から粘性を持った液体を噴射して液体噴流を形成することができる。
【００２１】
このため、粘性を持った液体を溶融したはんだとした場合、目的のワークに於けるはんだ付けすべき位置の高さが異なるような場合でも、一度にはんだ付けすることが可能となり、一点一点にかかるはんだ付け時間を短縮して作業の合理化をはかることができる。また、ロボット等を利用する必要もなくなり、消耗品にかかるコストを削減することができる。
【発明を実施するための最良の形態】
【００２２】
以下本発明の噴流槽の好ましい実施形態について説明する。本発明の噴流槽は、粘性を持った液体を略円錐状に盛り上げて高さの異なる複数の液体噴流を形成し得るように構成したものであり、異なる高さを持った複数の液体噴流によって目的の作業を行えるようにしたものである。
【００２３】
上記の如く、高さの異なる複数の液体噴流を利用して目的の作業を行うものとして、例えばはんだ付け作業がある。特に、プリント基板に電子部品を実装するような作業や、自動車用発電機やモーターに於ける配線の端末にはんだ付けするような作業がある。
【実施例１】
【００２４】
本発明の噴流槽をはんだ付け装置に適用した場合の実施例について図を用いて説明する。図１ははんだ付け装置の平面図である。図２ははんだ付け装置の正面図である。図３ははんだ付け装置の側面図である。図４は液体噴流を形成するノズルの構成を説明する図である。
【００２５】
図に示すはんだ付け装置Ａは、液体噴流を形成するために５つのノズル１〜５が同じ平面内に配置されており、個々のノズル１〜５が夫々高さの異なる液体噴流を形成し得るように構成されている。このはんだ付け装置Ａでは、基準となる平面から高さが異なる５カ所に同時にはんだ付け作業を行うことが可能である。
【００２６】
先ず、５つのノズル１〜５の中から代表してノズル１の構成について図４により説明する。ノズル１は、上端部に液体貯留部１１ａが形成され該液体貯留部１１ａに液体を噴射する噴射孔１１ｂを形成したノズル部材１１と、ノズル部材１１を取り付けた基板１２と、基板１２を取り付けたブロック部材１３と、を有して構成されている。
【００２７】
ノズル部材１１の上端部に形成された液体貯留部１１ａは、噴射孔１１ｂを上部に液体となる溶融はんだの層を形成するためのものであり、噴射孔１１ｂの周囲に周壁１１ｃを設けた皿状に形成されている。そして周壁１１ｃの一部に形成された切欠部１１ｄによって液体貯留部１１ａの深さが設定されている。従って、液体貯留部１１ａには、噴射孔１１ａと切欠部１１ｄとの距離によって規定された溶融はんだのプールが形成される。
【００２８】
ノズル部材１１は基板１２に対し高さ調整が可能なように取り付けられている。即ち、ノズル部材１１の下端部分には基板１２の厚さよりも大きい寸法を持ったねじ１１ｅが形成されており、基板１２には厚さ方向に貫通してねじ１２ａが形成されている。このため、基板１２に対するねじ込み長さを適宜調整することで、ノズル部材１１の噴射孔１１ｂの高さを設定することが可能となり、この結果、液体噴流となるはんだ噴流の頂点の高さを調整することが可能である。
【００２９】
ブロック部材１３は直方体のブロックからなり、内部に溶融はんだが流通する室１３ａが形成され、上部に基板１２を取り付ける開口１３ｂが形成され、一方の側面に後述するポンプから液体が供給される開口１３ｃが形成されている。そして、ブロック部材１３の開口１３ｂにノズル部材１１を取り付けた基板１２が取り付けられることでノズル１が構成されている。
【００３０】
従って、ノズル１は、ノズル部材１１の可能にブロック部材１３によって形成された室１３ａが配置されることとなり、ポンプの駆動に伴って、開口１３ｃを経て室１３ａに供給された溶融はんだは強制的にノズル部材１１の噴射孔１１ｂから液体貯留部１１ａに噴射される。このとき、液体貯留部１１ａには溶融はんだのプールが形成されており、この溶融はんだプールには表面張力が作用しているので、略円錐状のはんだ噴流を形成することが可能である。
【００３１】
上記の如く構成されたノズル１では、はんだ噴流の頂点の高さを調整する場合には基板１２に対するノズル部材１１のねじ込み長さを調整することで良い。
【００３２】
また、はんだ噴流の高さ（円錐の高さ）を調整する場合にはポンプによる溶融はんだの供給圧力を変更するか、液体貯留部１１ａに於ける溶融はんだのプール深さを変更することで良い。この場合、モーターを変速モーターとするか、或いは液体貯留部１１ａを構成する皿状の部材をノズル部材１１とは別部材とし、両者をねじ結合して切欠部１１ｄの噴射孔１１ｂに対する距離を変化させるように構成しても良い。
【００３３】
次に、本実施例に係るはんだ付け装置Ａの構成について説明する。
【００３４】
はんだ付け装置Ａは、溶融はんだを収容した槽２１を有しており、この槽２１の内部にノズル１〜５が夫々目的のはんだ付け位置に対応した位置に配置されている。各ノズル１〜５の平面的な配置位置、及び夫々のノズル部材の噴射孔の高さは、予め目的のはんだ付けすべき部品に対応した位置と高さに設定されている。
【００３５】
各ノズル１〜５には夫々のノズル１〜５に対応して１台のポンプ１ａ〜５ａが設けられている。各ポンプ１ａ〜５ａは、夫々モーター１ｂ〜５ｂと、各モーター１ｂ〜５ｂによって駆動され先端部に羽根を設けた図示しない軸と、を有して構成されている。各ポンプ１ａ〜５ａの羽根は各ノズル１〜５を構成するブロック部材の側面に形成した開口に対向する位置に配置され、モーター１ｂ〜５ｂの回転に応じて槽２１に収容されている溶融はんだをブロック部材を経てノズル部材に形成した噴射孔に供給し得るように構成されている。
【００３６】
本実施例に於いて、ポンプ１ａ〜５ａを構成するモーター１ｂ〜５ｂは４５度傾斜させて配置されている。しかし、この配置構成に限定するものではなく、槽２１に収容されている溶融はんだをブロック部材１３を経てノズル部材１１の噴射孔１１ｂから噴射し得るように供給することが可能であれば良い。従って、後述する第２実施例のようにモーターを垂直に配置してはんだ付け装置を構成しても良い。
【００３７】
モーター１ｂ〜５ｂは、定回転モーターであっても良く、変速モーターであっても良い。変速モーターを採用した場合には、回転数を適宜設定することによって、はんだ噴流の高さを調整することが可能であり汎用性のあるはんだ付け装置を実現することが可能である。
【００３８】
槽２１はヒーターを内蔵した保温容器２２によって保護されており、収容したはんだを常に溶融状態に維持し得るように構成されている。また、各ポンプ１ａ〜５ａはフレーム２３によって支持されている。
【００３９】
上記の如く構成されたはんだ付け装置Ａでは、槽２１に溶融はんだを収容し、予め各ノズル１〜５のノズル部材（１１）の上端部分に形成されている液体貯留部（１１ａ）に溶融はんだを供給して溶融はんだのプールを形成しておく。そして各ポンプ１ａ〜５ａを駆動すると、槽２１に収容されている溶融はんだはボックス部材（１３）の室（１３ａ）を経てノズル部材の噴射孔（１１ｂ）から噴射される。
【００４０】
ノズル部材の噴射孔から溶融はんだが噴射されたとき、液体貯留部に形成されているプールの溶融はんだが表面張力を有することから、溶融はんだは鉛直方向に略円錐状に盛り上がり、この盛り上がりによってはんだ噴流が形成される。噴射孔から供給された溶融はんだの余剰分は液体貯留部に形成された切欠部（１１ｄ）から流下し、これにより、液体貯留部に形成されたプールは深さが一定に維持される。
【００４１】
上記の如くして形成されたはんだ噴流の頂部は、ノズル部材の高さの違いに対応して変化することとなる。従って、これらのはんだ噴流にワークを対向させて接近させることで、高さ方向の異なる複数の位置に同時にはんだ付けを行うことが可能である。
【００４２】
特に、複数のノズル１〜５に対し夫々１台のポンプ１ａ〜５ａが設けられているので、これらのノズル１〜５を槽２１の平面内に於ける所望の位置に配置することが可能であり、目的のワークに於けるはんだ付けすべき位置と高さとに応じて最適な配置を実現することが可能である。
【実施例２】
【００４３】
次に第２実施例に係るはんだ付け装置の構成について図を用いて説明する。図５ははんだ付け装置の平面図である。図６ははんだ付け装置の側面図である。図７は本実施例のノズルの構成を説明する図である。
【００４４】
本実施例に係るはんだ付け装置Ｂは、１台のポンプによって複数のノズルから同時に溶融はんだを噴射させて、高さの異なる複数のはんだ噴流を形成し得るように構成したものである。
【００４５】
はんだ付け装置Ｂは溶融はんだを収容した槽３１を有しており、この槽３１に複数のノズル部材４１〜４４を設けた基板３２を取り付けたブロック部材３３が配置されている。またブロック部材３３には１台のポンプ３４が設けられており、ポンプ３４を駆動することで複数のノズル部材４１〜４４によって高さの異なるはんだ噴流を同時に形成し得るように構成されている。
【００４６】
槽３１はヒーターを内臓した保温容器３５によって保護されており、稼働中は常に一定の温度に維持し得るように構成されている。また保温容器３５やポンプ３４はフレーム３６によって支持されている。
【００４７】
基板３２に取り付けられたノズル部材４１〜４４は、図７に示すように、異なる高さを持って一列に配置されている。各ノズル部材４１〜４４は上端部に液体貯留部４１ａ〜４４ａが形成されると共に噴射孔４１ｂ〜４４ｂが形成されている。液体貯留部４１ａ〜４４ａを構成する周壁４１ｃ〜４４ｃには切欠部４１ｄ〜４４ｄが形成されており、この切欠部４１ｄ〜４４ｄによって噴射孔４１ｂ〜４４ｂの上部に形成されるはんだプールの深さが設定される。
【００４８】
各ノズル部材４１ａ〜４４ａの高さは、予め目的のはんだ付け位置の高さに対応して設定されている。各ノズル部材４１ａ〜４４ａは、予め設定された高さに応じた長さで製作したものを基板３２に溶接等の手段で取り付けておくことが可能であり、或いは下端部分及び基板３２にねじを形成しておき互いのねじを締結することで取り付けておくことも可能である。特に、各ノズル部材４１ａ〜４４ａの下端部分、及び基板３２にねじを形成した場合には、噴射孔４１ｂ〜４４ｂの高さを調整することが可能となる。
【００４９】
ブロック部材３３は、内部に溶融したはんだが流通する室３３ａが形成されており、該室３３ａの上部に基盤３２によって蓋される開口３３ｂが形成され、側面にはポンプ３４によって溶融はんだが供給される開口３３ｃが形成されている。
【００５０】
ブロック部材３３の開口３３ｃが形成された側面には、溶融したはんだの流れを規制する流通ガイド３７が取り付けられている。この流通ガイド３７は、開口３３ｃと連通する開口３７ａと、ポンプ３４を構成する羽根３４ｃの配置位置に対応して形成された開口３７ｂとを有している。特に、開口３７ｂにはポンプ３４の軸３４ｂが貫通しており、軸３４ｂの先端部に設けられた羽根３４ｃが流通ガイド３７の内部に配置されている。
【００５１】
ポンプ３４は、モーター３４ａと、モーター３４ａによって駆動される軸３４ｂと、軸３４ｂの先端部に設けた羽根３４ｃと、を有して構成されている。本実施例では、モーター３４ａを駆動することで４本のノズル部材４１ａ〜４４ａに同時にはんだ噴流を形成し得るようにしているため、該モーター３４ａとして定回転モーターを採用している。
【００５２】
上記の如く構成されたはんだ付け装置Ｂでは、槽３１に収容したはんだの溶融状態を維持しておき、ポンプ３４を駆動することで、流通ガイド３７にある溶融したはんだをブロック部材３３の室３３ａに供給してノズル部材４１ａ〜４４ａの噴射孔４１ｂ〜４４ｂから液体貯留部４１ａ〜４４ａに噴射させる。
【００５３】
前述した第１実施例と同様に、液体貯留部４１ａ〜４４ａに噴射されたはんだによって、液体貯留部４１ａ〜４４ａのはんだプールを盛り上がらせてはんだ噴流を形成する。形成されたはんだ噴流は、ノズル部材４１ａ〜４４ａの高さに対応して異なる高さとなり、目的のワークを対向させて接近させることで、該ワークにはんだ付けを行うことが可能である。
【産業上の利用可能性】
【００５４】
本発明ほ噴流槽の実施例として、はんだ付け装置を挙げたが、このはんだ付け装置に限定されることなく、液体が粘性を有するものであり、且つ粘性を持った液体を複数の異なる高さを持った噴流として作業するものであれば、化学薬品やバイオ、食品など多用途に応用可能である。
【図面の簡単な説明】
【００５５】
【図１】はんだ付け装置の平面図である。
【図２】はんだ付け装置の正面図である。
【図３】はんだ付け装置の側面図である。
【図４】液体噴流を形成するノズルの構成を説明する図である。
【図５】はんだ付け装置の平面図である。
【図６】はんだ付け装置の側面図である。
【図７】本実施例のノズルの構成を説明する図である。
【符号の説明】
【００５６】
Ａ、Ｂ                  はんだ付け装置
１〜５                  ノズル
１ａ〜５ａ              ポンプ
１ｂ〜５ｂ              モーター
１１                    ノズル部材
１１ａ                  液体貯留部
１１ｂ                  噴射孔
１１ｃ                  周壁
１１ｄ                  切欠部
１１ｅ                  ねじ
１２                    基板
１２ａ                  ねじ
１３                    ブロック部材
１３ａ                  室
１３ｂ、１３ｃ          開口
２１                    槽
２２                    保温容器
２３                    フレーム
３１                    槽
３２                    基板
３３                    ブロック部材
３３ａ                  室
３３ｂ、３３ｃ          開口
３４                    ポンプ
３４ａ                  モーター
３４ｂ                  軸
３４ｃ                  羽根
３５                    保温容器
３６                    フレーム
３７                    流通ガイド
３７ａ、３７ｂ          開口
４１〜４４              ノズル部材
４１ａ〜４４ａ          液体貯留部
４１ｂ〜４４ｂ          噴射孔
４１ｃ〜４４ｃ          周壁
４１ｄ〜４４ｄ          切欠部
【図１】
2007167840.tif 000003
【図２】
2007167840.tif 000004
【図３】
2007167840.tif 000005
【図４】
2007167840.tif 000006
【図５】
2007167840.tif 000007
【図６】
2007167840.tif 000008
【図７】
2007167840.tif 000009